(57)【要約】【課題】ガス流路を流れるガス流量に変化がないとき、取得動作を停止して、前回取得したガス流量を今回のガス流量として取得することにより、消費電力の低減を図った流量計測装置を提供する。【解決手段】計測手段１が、ガス流路中のガスの流速に応じて変化する物理量を間欠的に計測する。流量取得手段２Ａ−１が、計測した物理量に基づき、ガス流路を通過するガス流量を得る取得動作を行う。比較手段２Ａ−２が、計測手段によって前回計測された物理量と今回計測された物理量とを比較する。流量取得手段２Ａ−１が、比較手段によって前回計測された物理量と今回計測された物理量とが等しいとの比較結果が得られたとき、取得動作を停止し、前回取得したガス流量を今回のガス流量として取得する。【選択図】      図１
2004163251.tif 000002
【特許請求の範囲】
【請求項１】
ガス流路中のガスの流速に応じて変化する物理量を間欠的に計測する計測手段と、該計測した物理量に基づき、前記ガス流路を通過するガス流量を得る取得動作を行う流量取得手段とを備えた流量計測装置において、
前記計測手段によって前回計測された物理量と今回計測された物理量とを比較する比較手段をさらに備え、
前記流量取得手段は、前記比較手段によって前記前回計測された物理量と前記今回計測された物理量とが等しいとの比較結果が得られたとき、前記取得動作を停止し、前回取得したガス流量を今回のガス流量として取得する
ことを特徴とする流量計測装置。
【請求項２】
ガス流路中のガスの流速に応じて変化する物理量を間欠的に計測する計測手段と、該計測した物理量に基づき、複数段階の取得動作を行うことにより、前記ガス流路を通過するガス流量を取得する流量取得手段とを備えた流量計測装置において、
前記計測手段によって前回計測された物理量と今回計測された物理量とを比較する比較手段をさらに備え、
前記流量取得手段は、前記前回計測された物理量と前記今回計測された物理量とが等しいとの比較結果が得られたとき、前記複数段階の取得動作のうち、所定段階までの取得動作を停止し、該所定段階以降の取得動作は前回行った所定段階までの取得結果を用いて行う
ことを特徴とする流量計測装置。
【請求項３】
請求項２記載の流量計測装置であって、
前記流量取得手段は、前記計測した物理量に応じた補正値を求める補正値取得動作と、前記求めた補正値を用いて前記物理量を補正して、補正した前記物理量を求める補正物理量取得動作と、前記補正した物理量を用いて前記ガス流量を求める流量取得動作との少なくとも３段階を行う
ことを特徴とする流量計測装置。
【請求項４】
請求項１、２又は３何れか１項記載の流量計測装置であって、
前記流量取得手段が取得したガス流量を積算する積算手段と、
一定期間において、前記流量取得手段が取得した複数のガス流量の平均値に基づき、保安管理を行う保安管理手段とをさらに備え、
前記比較手段は、前記前回計測された物理量に対する前記今回計測された物理量の変化度合が設定値以下のとき、前記前回計測された物理量と前記今回計測された物理量とが等しいとの比較結果を出力し、さらに、前記流量取得手段が前記保安管理手段に出力するガス流量を取得するときは、前記積算手段に出力するガス流量を取得するときに比べて、前記設定値が大きくなるように、前記設定値の設定を行う
ことを特徴とする流量計測装置。
【発明の詳細な説明】
【０００１】
【発明の属する技術分野】
この発明は、流量計測装置に係わり、特に、ガス流路中のガスの流速に応じて変化する物理量を間欠的に計測する計測手段と、該計測した物理量に基づき、前記ガス流路を通過するガス流量を得る取得動作を行う流量取得手段とを備えた流量計測装置に関する。
【０００２】
【従来の技術】
従来、この種の流量計測装置として、例えば、特許文献１に開示されている熱式流速センサから得た物理量に基づきガス流量を得る装置や、特許文献２に開示されている超音波式流量センサから得た物理量に基づきガス流量を得る装置などがある。
【０００３】
熱式流速センサは、ガス流路内を加熱するヒータと、ガス流路の上下流方向にそれぞれ設けられた温度センサとから構成され、ヒータの発する熱の上下流方向への伝達が流速の大きさによって変化することを利用して、ヒータの上下流に設けた温度センサにより検知した温度差を、流速に応じて変化する物理量として間欠的に測定するものである。
【０００４】
また、超音波式流速センサは、ガス流路内に一定距離だけ離れて配置された超音波周波数で作動する例えば圧電式振動子からなる２つの音響トランスジューサにより構成され、一方のトランスジューサの発生する超音波信号を他方のトランスジューサに受信させる動作を交互に行って超音波信号がトランスジューサ間でガス流方向と、ガス流方向と逆方向とに伝搬される時間差を、流速に応じて変化する物理量として間欠的に計測するものである。
【０００５】
そして、流量計測装置は、上述したように物理量が計測される毎に、その物理量に、ガス流路の断面積及び間欠時間などのパラメータを乗じるなどの取得動作を行って、ガス流路を通過するガス流量を取得していた。さらに、この通過流量を積算して求めた積算流量を表示することによって、電子式ガスメータとして用いることもできる。
【０００６】
【特許文献１】
特公平６−４３９０６号公報
【特許文献２】
特公平７−１１９６３８号公報
【０００７】
【発明が解決しようとする課題】
しかしながら、上述した流量計測装置は、ガス流路を流れるガス流量に変化がない場合、つまり、同じ量の物理量が連続して計測され続けている場合であっても、物理量を計測する毎に、パラメータを乗じるなどの取得動作を繰り返し行っている。このため、無駄な電力を消費していた。特に、上述した流量計測装置を用いてガス使用量を積算する電子式ガスメータの場合には、電源として電池を使用しているので、無駄な消費電流が多くなると電池の寿命期間が短くなり、それに伴うメンテナンスが大変になるという問題があった。
【０００８】
そこで、本発明は、上記のような問題点に着目し、ガス流路を流れるガス流量に変化がないとき、取得動作を停止して、前回取得したガス流量を今回のガス流量として取得することにより、消費電力の低減を図った流量計測装置を提供することを課題とする。
【０００９】
【課題を解決するための手段】
上記課題を解決するためになされた請求項１記載の発明は、図１の基本構成図に示すように、ガス流路中のガスの流速に応じて変化する物理量を間欠的に計測する計測手段１と、該計測した物理量に基づき、前記ガス流路を通過するガス流量を得る取得動作を行う流量取得手段２Ａ−１とを備えた流量計測装置において、前記計測手段によって前回計測された物理量と今回計測された物理量とを比較する比較手段２Ａ−２をさらに備え、前記流量取得手段は、前記比較手段によって前記前回計測された物理量と前記今回計測された物理量とが等しいとの比較結果が得られたとき、前記取得動作を停止し、前回取得したガス流量を今回のガス流量として取得することを特徴とする流量計測装置に存する。
【００１０】
請求項１記載の発明によれば、計測手段が、ガス流路中のガスの流速に応じて変化する物理量を間欠的に計測する。流量取得手段が、計測した物理量に基づき、ガス流路を通過するガス流量を得る取得動作を行う。比較手段が、計測手段によって前回計測された物理量と今回計測された物理量とを比較する。流量取得手段が、比較手段によって前回計測された物理量と今回計測された物理量とが等しいとの比較結果が得られたとき、取得動作を停止し、前回取得したガス流量を今回のガス流量として取得する。
【００１１】
従って、ガス流路を流れるガス流量に変化がなく、同じ量の物理量が連続して計測され続けているときは、取得動作を停止して、前回取得したガス流量を今回のガス流量として取得することができる。
【００１２】
請求項２記載の発明は、図１の基本構成図に示すように、ガス流路中のガスの流速に応じて変化する物理量を間欠的に計測する計測手段１と、該計測した物理量に基づき、複数段階の取得動作を行うことにより、前記ガス流路を通過するガス流量を取得する流量取得手段２Ａ−１とを備えた流量計測装置において、前記計測手段によって前回計測された物理量と今回計測された物理量とを比較する比較手段２Ａ−２をさらに備え、前記流量取得手段は、前記前回計測された物理量と前記今回計測された物理量とが等しいとの比較結果が得られたとき、前記複数段階の取得動作のうち、所定段階までの取得動作を停止し、該所定段階以降の取得動作は前回行った所定段階までの取得結果を用いて行うことを特徴とする流量計測装置に存する。
【００１３】
請求項２記載の発明によれば、計測手段が、ガス流路中のガスの流速に応じて変化する物理量を間欠的に計測する。流量取得手段が、計測した物理量に基づき、複数段階の取得動作を行うことにより、ガス流路を通過するガス流量を取得する。比較手段が、計測手段によって前回計測された物理量と今回計測された物理量とを比較する。流量取得手段が、比較手段によって前回計測された物理量と今回計測された物理量とが等しいとの比較結果が得られたとき、複数段階の取得動作のうち、所定段階までの取得動作を停止し、所定段階以降の取得動作は前回行った所定段階までの取得結果を用いて行う。
【００１４】
従って、ガス流路を流れるガス流量に変化がなく、同じ量の物理量が連続して計測され続けているときは、複数段階ある取得動作のうち、所定段階までの取得動作を停止して、所定段階以降の取得動作は前回行った所定段階までの取得結果を用いて行うことができる。
【００１５】
請求項３記載の発明は、請求項２記載の流量計測装置であって、前記流量取得手段は、前記計測した物理量に応じた補正値を求める補正値取得動作と、前記求めた補正値を用いて前記物理量を補正して、補正した前記物理量を求める補正物理量取得動作と、前記補正した物理量を用いて前記ガス流量を求める流量取得動作との少なくとも３段階を行うことを特徴とする流量計測装置に存する。
【００１６】
請求項３記載の発明によれば、流量取得手段が、計測した物理量に応じた補正値を求める補正値取得動作と、求めた補正値を用いて前記物理量を補正して、補正した物理量を求める補正物理量取得動作と、補正した物理量を用いてガス流量を求める流量取得動作との３段階を少なくとも行う。
【００１７】
従って、ガス流路を流れるガス流量に変化がなく、同じ量の物理量が連続して計測され続けているときは、補正値取得動作、補正物理量取得動作及び流量取得動作の少なくとも３段階ある取得動作のうち、所定段階までの取得動作を停止して、所定段階以降の取得動作は前回行った所定段階までの取得結果を用いて行うことができる。
【００１８】
請求項４記載の発明は、図１の基本構成図に示すように、請求項１、２又は３何れか１項記載の流量計測装置であって、前記流量取得手段が取得したガス流量を積算する積算手段２Ａ−３と、一定期間において、前記流量取得手段が取得した複数のガス流量の平均値に基づき、保安管理を行う保安管理手段２Ａ−４とをさらに備え、前記比較手段は、前記前回計測された物理量に対する前記今回計測された物理量の変化度合が設定値以下のとき、前記前回計測された物理量と前記今回計測された物理量とが等しいとの比較結果を出力し、さらに、前記流量取得手段が前記保安管理手段に出力するガス流量を取得するときは、前記積算手段に出力するガス流量を取得するときに比べて、前記設定値が大きくなるように、前記設定値の設定を行うことを特徴とする流量計測装置に存する。
【００１９】
請求項４記載の発明によれば、積算手段に出力するときは、取得したガス流量がメータの使用公差を満足する必要があるが、保安管理手段に出力するときは、一定期間に取得した複数のガス流量の平均が使用公差を満足すればよいことに着目し、流量取得手段が保安管理手段に出力するガス流量を取得するときは、積算手段に出力するガス流量を取得するときに比べて、設定値が大きくなるように、設定値の設定を行う。
【００２０】
従って、保安管理手段に出力されているときは、積算手段に出力されているときに比べて上記変化度合が大きくても、前回計測された物理量と今回計測された物理量とが等しいとの比較結果を得ることができる。
【００２１】
【発明の実施の形態】
以下、本発明の実施の形態を図面に基づいて説明する。
図２は、本発明の流量計測装置を組み込んだガスメータを示している。図示のガスメータは熱式として構成されており、ガスの流速に応じて変化する物理量を計測するマイクロフローセンサ１（請求項中の計測手段に相当）を有する。
【００２２】
このマイクロフローセンサ１は、図２中断面で示すガス流路１０の内壁に配設されている半導体基台１１と、この半導体基台１１上に形成された不図示の薄膜層と、この薄膜層上に形成され、周囲温度に応じた熱起電力を発生するサーモパイル等の温度センサ１２、１３及び加熱用のヒータ抵抗器１４を備えている。また、このマイクロフローセンサ１においては、ガス流路１０内を流れるガスの流れ方向Ｄの上流側から温度センサ１２、ヒータ抵抗器１４、温度センサ１３の順に、流れ方向Ｄに沿って等間隔で配置されている。
【００２３】
上述したヒータ抵抗器１４は、図示しない電源からの駆動パルスの供給により通電され、加熱する。ヒータ抵抗器１４に対する駆動パルスの供給制御は、マイクロコンピュータ（以下、μＣＯＭ）２により行われている。また、温度センサ１２、１３としてサーモパイルを使用したとき、それぞれの熱起電力は、非反転増幅器１７、１８を介して非反転増幅された後、差動増幅器１９により互いの差に応じた信号が流速信号Ｓ１として出力されている。
【００２４】
上述した構成のマイクロフローセンサ１の原理について以下説明する。ヒータ抵抗器１４は、μＣＯＭ２の制御により駆動パルスが印加されると、通電され、所定時間の加熱が行われる。この結果、ガス流路１０にガスが流れていないときは、ヒータ抵抗器１４付近の気体に熱が伝わり、該ヒータ抵抗器１４付近の上流側、下流側の温度分布は対称分布となる。つまり、温度センサ１２、１３の周囲温度が等しい温度に上昇するため温度センサ１２、１３の熱起電力はほぼ等しくなり差動増幅器１９からの出力はほぼ０となる。
【００２５】
今、ヒータ抵抗器１４が通電している間、ガスの流れ方向Ｄにガスが流れていると上流側は冷却されて降温する。一方、下流側はガスの流れを媒体してヒータ抵抗器１４から熱伝導が促進され昇温する。この結果、ヒータ抵抗器１４の上流側にある温度センサ１２はガスにより降温されるため熱起電力が減少し、一方、下流側にある温度センサ１３はガスにより昇温されるため熱起電力が増加する。流速が増加すると、これに伴って上述した降温分、昇温分も増加するので、温度センサ１２、１３の熱起電力の差である差動増幅器１９からの出力は流速に応じた値となる。
【００２６】
そして、このガスの流速に応じたマイクロフローセンサ１の差動増幅器１９からの流速信号Ｓ１は、アンプ６により増幅された後、μＣＯＭ２に供給される。つまり、マイクロフローセンサ１は、ヒータ抵抗器１４の上下流に設けた温度センサ１２、１３により検知した温度差を、流速に応じて変化する物理量として間欠的に測定するものである。
【００２７】
上述したμＣＯＭ２は、プログラムに従って各種の処理を行う中央処理ユニット（ＣＰＵ）２Ａ、ＣＰＵ２Ａが行う処理のプログラムなどを格納した読み出し専用のメモリであるＲＯＭ２Ｂ、ＣＰＵ２Ａでの各種の処理過程で利用するワークエリア、各種データを格納するデータ格納エリアなどを有する読み出し書き込み自在のメモリであるＲＡＭ２Ｃ及びアンプ６で増幅した流速信号Ｓ１をサンプリングしてディジタル値に変換するＡ／Ｄ変換器２Ｄなどを内蔵し、これらが図示しないバスラインによって相互接続される。また、上記μＣＯＭ２には、ガス流量の積算値を表示するための液晶表示器（以下、ＬＣＤ）３が接続されている。
【００２８】
上述した構成の流量計測装置を組み込んだガスメータの動作をＣＰＵ２Ａの処理手順を示す図３のフローチャートを参照して以下説明する。
ＣＰＵ２Ａは、例えば電池電源の投入によって動作を開始し、図示しない初期ステップにおいて、μＣＯＭ２内のＲＡＭ２Ｃに形成した各種のエリアの初期設定を行ってから最初のステップＳ１に進む。
【００２９】
ステップＳ１において、ＣＰＵ２Ａは、ヒータ抵抗器１４に対して駆動パルスを供給して、ヒータ抵抗器１４を加熱すると共に、マイクロフローセンサ１からの流速信号Ｓ１をＡ／Ｄ変換器２Ｄによりサンプリングし、今回計測した物理量ＶａとしてＲＡＭ２Ｃ内に格納する（ステップＳ１）。次に、ＣＰＵ２Ａは、ステップＳ１で格納した今回計測した物理量Ｖａが１Ｌ／ｈに相当する物理量以下であるか否かを判断する（ステップＳ２）。
【００３０】
今回計測した物理量Ｖａ＞１Ｌ／ｈに相当する物理量であれば（ステップＳ２でＮ）、ＣＰＵ２Ａは、ガス流路１０にガスの流れがあると判断して、次に、比較手段として働き、前回計測した物理量Ｖｂ（＝前のサンプリングで格納した流速信号Ｓ１）と今回計測した物理量Ｖａとがほぼ等しいか否かを判断する（ステップＳ３）。
【００３１】
このステップＳ３において、ＣＰＵ２Ａは、前回計測した物理量Ｖｂに対する今回計測した物理量Ｖａの変化度合が設定値以下であれば等しいと判断し、設定値より大きければ等しくないと判断する。ところで、ＯＩＭＬ（Ｉｎｔｅｒｎａｔｉｏｎａｌ  Ｏｒｇａｎｉｚａｔｉｏｎ  ｏｆ  Ｌｅｇａｌ  Ｍｅｔｒｏｌｏｇｙ（法定度量衡国際機構））、Ｒ３１の基準を満足するガスメータの場合、０．１Ｑｍａｘ〜Ｑｍａｘ（Ｑｍａｘ＝最大流量）の範囲で、使用公差を±３％以内にする必要がある。そこで、安全性を考えて、本実施形態では、上記設定値を±１％とし、上記変化割合が±１％以下のときほぼ等しいと判断する。このようにすれば、ＯＩＭＬ、Ｒ３１の使用公差を満足することができるようになる。
【００３２】
ステップＳ３で比較を行った結果、前回計測した物理量Ｖｂと今回計測した物理量Ｖａとが等しくないとの比較結果が得られたとき（ステップＳ３でＮ）、ＣＰＵ２Ａは、流速変化ありとして、後述するステップＳ５〜Ｓ７のガス流量の取得動作の短縮を行う旨を示す短縮フラグＦをオフする（ステップＳ４）。その後、ＣＰＵ２Ａは、ＲＯＭ２Ｂ内に格納された物理量に対する補正値のテーブルから、今回計測した物理量Ｖａに対応する補正値αを検索し、検索した補正値αを、今回の補正計算で用いる補正値α１としてＲＡＭ２Ｃ内に格納する補正値取得動作を行う（ステップＳ５）。
【００３３】
その後、ＣＰＵ２Ａは、今回計測した物理量Ｖａに、補正値α１を乗じた値α１・Ｖａを補正物理量ＶとしてＲＡＭ２Ｃ内に格納する補正物理量取得動作を行う（ステップＳ６）。この補正により、流速に応じてリニアに変化する補正物理量Ｖを得ることができる。次に、ＣＰＵ２Ａは、補正物理量Ｖに、ガス流路断面積や、サンプリング間隔時間などを含む換算係数ｋを乗じた値ｋ・Ｖを通過流量ＱｔとしてＲＡＭ２Ｃ内に格納する流量取得動作を行う（ステップＳ７）。
【００３４】
その後、ＣＰＵ２Ａは、積算手段として働き、上記通過流量Ｑｔを積算流量Ｑｓに積算すると共に（ステップＳ８）、積算流量ＱｓをＬＣＤ３に表示させた後（ステップＳ９）、短縮フラグＦがオフしているか否かを判断する（ステップＳ１０）。短縮フラグＦがオフしていれば（ステップＳ１０でＮ）、ＣＰＵ２Ａは、今回計測した物理量Ｖａを前回計測した物理量ＶｂとしてＲＡＭ２Ｃ内に格納した後（ステップＳ１１）、ステップＳ１に戻る。
【００３５】
これに対して、ステップＳ３で比較を行った結果、前回計測した物理量Ｖｂと今回計測した物理量Ｖａとが等しいとの比較結果が得られたとき（ステップＳ３でＹ）、ＣＰＵ２Ａは、流速変化がないとして、短縮フラグＦをオンした後（ステップＳ１２）、ステップＳ４〜Ｓ７の動作を行うことなく、ステップＳ８に進む。この場合、ステップＳ８においては、前回のステップＳ７で取得した通過流量Ｑｔが積算流量Ｑｓに積算されることとなる。
【００３６】
また、上述したようにステップＳ５〜Ｓ７の取得動作を短縮した場合は、短縮フラグＦがオンされているので、ステップＳ１０においてはＹの判断され、ステップＳ１１の動作を行うことなくステップＳ１に戻る。一方、ステップＳ２において、今回の物理量Ｖａ≦１Ｌ／ｈに相当する物理量であると判断した場合（ステップＳ２でＹ）、ＣＰＵ２Ａは、ステップＳ１１に進んだ後、ステップＳ１に戻る。
【００３７】
上述した動作によれば、ステップＳ３において前回計測された物理量Ｖｂと今回計測された物理量Ｖａとが等しいとの比較結果が得られたとき、ステップＳ５〜ステップＳ７までの取得動作を停止し、前回のステップＳ７で取得した通過流量Ｑｔを今回のガス流量として取得している。このことから、ＣＰＵ２Ａは、請求項中の流量取得手段として働くことが明らかである。
【００３８】
また、上述した動作を行うことにより、ガス流路１０を流れるガス流量に変化がなく、同じ量の物理量が連続して計測され続けているときは、ステップＳ５〜ステップＳ７までの取得動作を省略して、前回取得した通過流量Ｑｔを今回の通過流量Ｑｔとして取得することができ、消費電力の低下を図ることができる。
【００３９】
なお、上述した実施形態では、前回計測された物理量Ｖｂと今回計測された物理量Ｖａとが等しいとの比較結果が得られ（ステップＳ３でＹ）、短縮フラグＦをオンした後（ステップＳ１２）は、直ちにステップＳ８に進んでいた。しかしながら、例えば、短縮フラグＦをオンした後（ステップＳ１２）、ステップＳ７に進むことも考えられる。この場合、ステップＳ７では前回のステップＳ６で得られた補正物理量Ｖを用いて流量取得動作を行うことができる。このように動作しても、ステップＳ５の補正値取得動作、ステップＳ６の補正物理量取得動作を省略することができ、消費電力の低下を図ることができる。
【００４０】
また、短縮フラグＦをオンした後（ステップＳ１２）、ステップＳ６に進むことも考えられる。この場合、ステップＳ６では前回のステップＳ５で得られた補正値α１を用いて補正物理量取得動作を行うことができる。このように動作しても、ステップＳ５の補正値取得動作を省略することができ、消費電力の低下を図ることができる。
【００４１】
また、上述した実施形態では、積算流量ＱｓをＬＣＤ３に表示するために通過流量Ｑｔを取得していた。しかしながら、ガスメータには、積算流量Ｑｓを求める積算機能の他に、異常判別値を超えるガスが流れたときにガス供給を停止する保安管理機能（請求項中の保安管理手段としての働き）を備えているものがある。この保安管理機能においては、ガスメータ毎にその家庭でのガス消費パターンを認識するために、一定期間において、サンプリングして得た複数の通過流量Ｑｔの平均値を求め、求めた平均値に応じて異常判別値を設定している場合がある。
【００４２】
この場合、上記一定期間におけて取得した複数の通過流量Ｑｔの平均値が、基準となる使用公差を満足すればよい。今、上述した実施形態のように、ＯＩＭＬ、Ｒ３１の基準を満足するガスメータについて考えてみる。例えば、上記一定期間を１５秒、物理量のサンプリング間隔を２秒とすると、１５秒の間に１５／２＝７．５回の物理量のサンプリングが行われることとなる。
【００４３】
上述したようにＯＩＭＬ、Ｒ３１の場合、０．１Ｑｍａｘ〜Ｑｍａｘ（Ｑｍａｘ＝最大流量）の範囲で、使用公差を±３％以内にする必要がある。そこで、同様に安全性を考慮して一定期間（＝１５秒）における通過流量Ｑｔの平均の公差が±１％以内を満足させるためには、１回のサンプリングの公差が１％・√（７．５）＝２．７％以内であればよい。
【００４４】
そこで、ＣＰＵ２Ａは、上述した積算機能のために通過流量Ｑｔを取得するときは、前回計測した物理量Ｖｂに対する今回計測した物理量Ｖａの変化度合が±１％以下であれば等しいと判断し、一方、保安管理機能のために通過流量Ｑｔを取得するときは、前回計測した物理量Ｖｂに対する今回計測した物理量Ｖａの変化度合が上記±１％より大きい±２．７％以下であれば等しいと判断するようにしてもよい。
【００４５】
このようにすれば、保安管理機能に用いる通過流量Ｑｔを取得しているときは、積算機能に用いる通過流量を取得しているときに比べて上記変化度合が大きくても、前回計測された物理量Ｖａと今回計測された物理量Ｖｂとが等しいとの比較結果を得ることができ、より一層、消費電力低減を図ることができる。
【００４６】
また、上述した実施形態では、熱式流速センサが計測した温度差を物理量としていたが、例えば、従来に示したように超音波式流速センサが計測した時間差を物理量としてもよい。
【００４７】
【発明の効果】
以上説明したように、請求項１記載の発明によれば、ガス流路を流れるガス流量に変化がなく、同じ量の物理量が連続して計測され続けているときは、取得動作を停止して、前回取得したガス流量を今回のガス流量として取得することができるので、消費電力低下を図った流量計測装置を得ることができる。
【００４８】
請求項２記載の発明によれば、ガス流路を流れるガス流量に変化がなく、同じ量の物理量が連続して計測され続けているときは、複数段階ある取得動作のうち、所定段階までの取得動作を停止して、所定段階以降の取得動作は前回行った所定段階までの取得結果を用いて行うことができるので、消費電力低減を図った流量計測装置を得ることができる。
【００４９】
請求項３記載の発明によれば、ガス流路を流れるガス流量に変化がなく、同じ量の物理量が連続して計測され続けているときは、補正値取得動作、補正物理量取得動作及び流量取得動作の少なくとも３段階ある取得動作のうち、所定段階までの取得動作を停止して、所定段階以降の取得動作は前回行った所定段階までの取得結果を用いて行うことができるので、消費電力低減を図った流量計測装置を得ることができる。
【００５０】
請求項４記載の発明によれば、保安管理手段に出力されているときは、積算手段に出力されているときに比べて上記変化度合が大きくても、前回計測された物理量と今回計測された物理量とが等しいとの比較結果を得ることができるので、より一層、消費電力低減を図った流量計測装置を得ることができる。
【図面の簡単な説明】
【図１】本発明の流量計測装置の基本構成図である。
【図２】本発明の流量計測装置を組み込んだガスメータの一実施の形態を示す図である。
【図３】図２のガスメータを構成するＣＰＵ２Ａの処理手順を示すフローチャートである。
【符号の説明】
１０      ガス流路
１        計測手段（マイクロフローセンサ）
２Ａ−１  流量取得手段（ＣＰＵ）
２Ａ−２  比較手段（ＣＰＵ）
２Ａ−３  積算手段（ＣＰＵ）
２Ａ−４  保安管理手段（ＣＰＵ）
【図１】
2004163251.tif 000003
【図２】
2004163251.tif 000004
【図３】
2004163251.tif 000005